(57)【特許請求の範囲】
【請求項１】
車両のシートクッションの下方において車幅方向に延設され、且つ、長さ方向の全長に亘って扁平な断面形状を有する管状の部材で構成され、両端部がフロアパネルへの被固定部とされていると共に、中間部が前記両側の被固定部からの立ち上がり部を介してフロアパネルの上方に間隔を空けて位置する浮き上がり部とされたシートクロスメンバの構造であって、
前記立ち上がり部は、前記被固定部の上部が前記浮き上がり部において前方または後方を向くように捩られていることを特徴とするシートクロスメンバ構造。
【請求項２】
前記浮き上がり部の後縁は前記被固定部の後縁よりも前側に位置することを特徴とする請求項１に記載のシートクロスメンバ構造。
【請求項３】
前記立ち上がり部は、前記被固定部の上部が前記浮き上がり部において前方を向くように捩られていることを特徴とする請求項２に記載のシートクロスメンバ構造。
【請求項４】
前記被固定部は、上下方向の寸法に比べて前後方向の寸法が大きく、
前記浮き上がり部は、前後方向の寸法に比べて上下方向の寸法が大きいことを特徴とする請求項１から請求項３のいずれか１項に記載のシートクロスメンバ構造。
【請求項５】
前記浮き上がり部は、前記扁平な断面形状の長手方向が前記フロアパネルに対して垂直となるように配設されていることを特徴とする請求項４に記載のシートクロスメンバ構造。
【請求項６】
前記浮き上がり部は、シートベルトアンカの取付け部材が固定される略水平な下面を有し、該下面は、車幅方向において前記取付け部材の幅以上の幅を有することを特徴とする請求項１から請求項５のいずれか１項に記載のシートクロスメンバ構造。
【請求項７】
前記両側の立ち上がり部と前記浮き上がり部の後縁は、平面視において、前記フロアパネルに形成された収納用凹部の前縁部に対応するように形成されていることを特徴とする請求項１から請求項６のいずれか１項に記載のシートクロスメンバ構造。
【発明の詳細な説明】
【技術分野】
【０００１】
本発明は、車両のシートの下側に配設されるシートクロスメンバ構造に関し、車両の車体構造技術の分野に属する。
【背景技術】
【０００２】
特許文献１には、前後方向に３列のシートを備えた車両に関して、３列目シート下方の構造の具体例が開示されている。特許文献１の構造では、３列目シートのシートクッション下方において、スペアタイヤを収納するための収納用凹部がフロアパネルに形成されている。また、３列目シートのシートクッション下方に、該シートを支持すると共にシートベルトアンカを固定するためのシートクロスメンバが、車幅方向に延びるように配設されている。
【０００３】
前記特許文献１に開示されたシートクロスメンバは、金属管で構成されている。このシートクロスメンバは、ブラケットを介してフロアパネルに固定される車幅方向両端部に比べて車幅方向中間部が上側に位置するように屈曲しており、これにより、スペアタイヤとの干渉を防止できるようになっている。
【０００４】
ところで、特許文献２には、金属管を曲げ加工しながら焼入れを行う技術が開示されている。具体的には、塑性変形可能で且つ焼入れ可能な温度で加熱しながら曲げ加工を行い、加熱された部分を加熱直後に急冷することで焼入れを行う。この特許文献２の技術によれば、屈曲した金属管の板厚を薄くしても、この金属管について高い強度を得ることが可能になる。すなわち、屈曲した金属管に関して、高い強度を確保しつつ軽量化を図ることができる。
【０００５】
そこで、特許文献２の技術を用いて上述のシートクロスメンバを製造することで、このシートクロスメンバについて強度を維持しながら軽量化を図り、近年ますます求められている車体の軽量化に貢献することが考えられる。
【先行技術文献】
【特許文献】
【０００６】
【特許文献１】特開２００４−２９１６８２号公報
【特許文献２】特開２００６−２４０４４１号公報
【発明の概要】
【発明が解決しようとする課題】
【０００７】
しかし、板厚を薄くし、軽量化したシートクロスメンバは、断面形状によっては特定の方向の剛性が低下し、これを用いる場合、フロアパネルから伝わる振動により、主としてフロアパネルの上方に浮いている中間部が共振しやすくなり、これに伴い、シートに伝わる振動が増大して乗り心地が悪化する懸念がある。
【０００８】
そこで、本発明は、この種のメンバは捩ることによって剛性を調整することができ、これによって振動に対する共振特性を変化させることができることに着目し、軽量化を図りつつ、フロアパネルからシートに伝わる振動を抑制することができるシートクロスメンバ構造を提供することを課題とする。
【課題を解決するための手段】
【０００９】
前記課題を解決するため、本発明に係るシートクロスメンバ構造は、次のように構成したことを特徴とする。
【００１０】
まず、本願の請求項１に記載の発明は、車両のシートクッションの下方において車幅方向に延設され、且つ、長さ方向の全長に亘って扁平な断面形状を有する管状の部材で構成され、両端部がフロアパネルへの被固定部とされていると共に、中間部が前記両側の被固定部からの立ち上がり部を介してフロアパネルの上方に間隔を空けて位置する浮き上がり部とされたシートクロスメンバの構造であって、
前記立ち上がり部は、前記被固定部の上部が前記浮き上がり部において前方または後方を向くように捩られていることを特徴とする。
【００１１】
また、請求項２に記載の発明は、前記請求項１に記載の発明において、前記浮き上がり部の後縁が前記被固定部の後縁よりも前側に位置することを特徴とする。
【００１２】
さらに、請求項３に記載の発明は、前記請求項２に記載の発明において、前記立ち上がり部が、前記被固定部の上部が前記浮き上がり部において前方を向くように捩られていることを特徴とする。
【００１３】
またさらに、請求項４に記載の発明は、前記請求項１から請求項３のいずれか１項に記載の発明において、前記被固定部が、上下方向の寸法に比べて前後方向の寸法が大きく、前記浮き上がり部が、前後方向の寸法に比べて上下方向の寸法が大きいことを特徴とする。
【００１４】
また、請求項５に記載の発明は、前記請求項４に記載の発明において、前記浮き上がり部が、前記扁平な断面形状の長手方向が前記フロアパネルに対して垂直となるように配設されていることを特徴とする。
【００１５】
さらに、請求項６に記載の発明は、前記請求項１から請求項５のいずれか１項に記載の発明において、前記浮き上がり部が、シートベルトアンカの取付け部材が固定される略水平な下面を有し、該下面が、車幅方向において前記取付け部材の幅以上の幅を有することを特徴とする。
【００１６】
またさらに、請求項７に記載の発明は、前記請求項１から請求項６のいずれか１項に記載の発明において、前記両側の立ち上がり部と前記浮き上がり部の後縁が、平面視において、前記フロアパネルに形成された収納用凹部の前縁部に対応するように形成されていることを特徴とする。
【発明の効果】
【００１７】
まず、請求項１に記載の発明によれば、長さ方向の全長に亘って扁平な断面形状を有するシートクロスメンバは、その両端部の被固定部の上部が中間部の浮き上がり部において前方または後方を向くように立ち上がり部が捩られているため、これにより、シートクロスメンバの剛性を調整することができる。そのため、シートクロスメンバが取り付けられる車両に応じて、フロアパネルからの振動に対するシートクロスメンバの共振が防止されるように、シートクロスメンバの共振特性を適宜変化させることができる。したがって、シートクロスメンバの板厚を薄くしても、シートクロスメンバの共振を効果的に防止することができる。よって、シートクロスメンバの軽量化を図りつつ、フロアパネルからシートに伝わる振動を抑制することができる。
【００１８】
また、請求項２に記載の発明によれば、浮き上がり部の後縁が被固定部の後縁よりも前側に位置するため、浮き上がり部の後方のスペースを拡大することができる。
【００１９】
さらに、請求項２に記載の発明に請求項３に記載の発明を適用すれば、被固定部の上部が浮き上がり部において前方を向くように立ち上がり部を捩ることで、浮き上がり部の後縁を被固定部の後縁よりも前側に位置させるための捩り加工を、比較的容易に行うことができる。
【００２０】
また、請求項４に記載の発明によれば、被固定部の前後方向の寸法が上下方向の寸法に比べて大きいため、該被固定部をフロアパネルに対して安定的に取り付けることができる。また、浮き上がり部の上下方向の寸法が前後方向の寸法に比べて大きいため、該浮き上がり部における上下方向の剛性を高めることができる。これにより、特に上下方向の振動に対するシートクロスメンバの共振を効果的に防止することができるため、該シートクロスメンバが取り付けられる車両において上下方向の振動がフロアパネルからシートへ伝わりやすい場合、該振動を効果的に抑制して、乗り心地を向上させることができる。
【００２１】
さらに、請求項４に記載の発明に請求項５に記載の発明を適用すれば、浮き上がり部の断面形状の長手方向が上下方向に沿っているため、浮き上がり部における上下方向の剛性を最大限に高めることができ、フロアパネルからシートへ伝わる上下方向の振動を一層効果的に抑制することができる。
【００２２】
またさらに、請求項６に記載の発明によれば、シートベルトアンカの取付け部材が前記浮き上がり部の略水平な下面に固定されるため、シートベルトが引っ張られることで上方向の外力が前記取付け部材に生じても、該取付け部材を前記浮き上がり部により確実に支持することができる。また、浮き上がり部の下面は、車幅方向において前記取付け部材の幅以上の幅を有するため、浮き上がり部の下面に前記取付け部材を確実に固定することができる。
【００２３】
また、請求項７に記載の発明によれば、前記両側の立ち上がり部と前記浮き上がり部の後縁が、平面視において、フロアパネルに形成された収納用凹部の前縁部に対応するように形成されているため、該収納用凹部に対する収納物の収納および取り出しに必要な空間を、シートクロスメンバの後方に効率的に確保することができる。
【図面の簡単な説明】
【００２４】
【図１】本発明の一実施形態に係るシートクロスメンバ及びその周辺部材を後方から見た斜視図である。
【図２】図１に示すシートクロスメンバ及びその周辺部を示す平面図である。
【図３】図２のＡ−Ａ線断面図である。
【図４】ＣＡＥ解析に用いた金属管を示す斜視図である。
【図５】ＣＡＥ解析の結果を示すグラフである。
【発明を実施するための形態】
【００２５】
以下、本発明の実施形態について説明する。
【００２６】
図１には、前後方向に３列のシートを有する車両における３列目シート２の下部が示されている。該シート２はシートクッション４とシートバック６とを有し、シートクッション４の下方に配設されたフロアパネル６０には、スペアタイヤ７０を収納するための収納用凹部６２が形成されている（図２参照）。
【００２７】
図１に示すように、シートクッション４の下方には、シート２を支持すると共に後述のシートベルトアンカ９０を固定するためのシートクロスメンバ１０が、車幅方向に延設されている。
【００２８】
シートクロスメンバ１０は、長さ方向の全長に亘って扁平な断面形状を有する金属管で構成されている。具体的に、シートクロスメンバ１０の断面形状は略長方形であるが、本発明において、シートクロスメンバ１０の具体的な断面形状は、扁平であれば特に限定されるものでなく、例えば楕円形または長円形であってもよい。
【００２９】
シートクロスメンバ１０は、長さ方向両端部がフロアパネル６０への被固定部１２（１２ａ，１２ｂ）とされていると共に、中間部が両側の被固定部１２ａ，１２ｂからの立ち上がり部１４（１４ａ，１４ｂ）を介してフロアパネル６０の上方に間隔を空けて位置する浮き上がり部１６とされている。
【００３０】
被固定部１２は、断面形状の長辺方向がフロアパネル６０に平行となるように形成されている。すなわち、被固定部１２では、上下方向の寸法に比べて前後方向の寸法が大きい。そのため、フロアパネル６０に対して被固定部１２を安定的に取り付けることができる。
【００３１】
該被固定部１２には、シートクロスメンバ１０の前方において該シートクロスメンバ１０をフロアパネル６０に固定するための固定部材２０（２０ａ，２０ｂ）が取り付けられている。該固定部材２０は、シートクロスメンバ１０の長さ方向に対して垂直になるように該シートクロスメンバ１０の外周面に例えば溶接により固定された左右一対のプレート部２２，２４と、該一対のプレート部２２，２４の前端部同士を結合すると共に該結合部から前方へ延びるアーム部２６とを有し、該アーム部２６の前端部２８がボルト等によりフロアパネル６０に固定されている。車幅方向外側のプレート部２２には、被固定部１２をフロアパネル６０に固定すると共にシート２を支持する支持部材４２（４２ａ，４２ｂ）が例えば溶接により固定されている。該支持部材４２は、フロアパネル６０とシートクッション４とに跨って設けられている。なお、図１において図示を省略しているが、前記支持部材４２の他にも、シート２を支持する支持部材は複数設けられている。
【００３２】
立ち上がり部１４は、前記被固定部１２の車幅方向一端から斜め上方へ立ち上がるように形成されている。この立ち上がり部１４は、被固定部１２の上面が浮き上がり部１６において前方を向くように捩られており、これにより、後述のようにシートクロスメンバ１０の剛性が調整されている。
【００３３】
浮き上がり部１６では、被固定部１２と異なり、断面形状の長辺方向がフロアパネル６０に対して垂直となっている。すなわち、浮き上がり部１６では、前後方向の寸法に比べて上下方向の寸法が大きい。そのため、浮き上がり部１６、ひいてはシートクロスメンバ１０全体における上下方向の剛性が高められている。したがって、シートクロスメンバ１０の板厚を薄くしても、シートクロスメンバ１０の上下方向の剛性を高めることができ、フロアパネル６０から伝わる上下方向の振動に対して、シートクロスメンバ１０の共振を効果的に抑制できる。よって、シートクロスメンバ１０が取り付けられる車両の構造が、フロアパネル６０からの上下方向の振動がシート２に伝わりやすいものであっても、シートクロスメンバ１０の軽量化を図りつつ、フロアパネル６０からシート２への振動伝達を効果的に抑制することができ、乗り心地の向上を図ることができる。
【００３４】
なお、本実施形態に係るシートクロスメンバ１０は、上下方向の振動伝達を抑制可能な構造を有するが、本発明では、車両の振動特性に応じてシートクロスメンバの具体的構造を適宜変更することができ、これにより、上下方向以外の方向の振動伝達を抑制することも可能である。
【００３５】
また、浮き上がり部１６の前面および後面は略上下方向に沿って配置され、浮き上がり部１６の上面および下面は略水平方向に沿って配置されている。浮き上がり部１６の下面は、車幅方向において後述のシートベルトアンカ９０の取付け部材５０の幅以上の幅を有する。
【００３６】
この浮き上がり部１６には、シートクロスメンバ１０の前方において該シートクロスメンバ１０をフロアパネル６０に固定するための固定部材３０が取り付けられている。該固定部材３０は、浮き上がり部１６の後面に例えば取付プレート４０を介して固定されるベース部３２と、該ベース部３２の上端から前下方へ延びるアーム部３６とを有し、該アーム部３６の前端部３８がボルト等によりフロアパネル６０に固定されている。
【００３７】
また、浮き上がり部１６には、シートベルトアンカ９０の取付け部材５０が固定されている。
【００３８】
図３に示すように、シートベルトアンカ９０は、取付け部材５０に固定されるベース部９２と、一端が該ベース部９２に取り付けられると共に他端が図示しないバックルに取り付けられたベルト部材９４とを有する。
【００３９】
取付け部材５０は、シートクロスメンバ１０の浮き上がり部１６の下面８０に固定される下面固定部５２と、該下面固定部５２の後端から後上方へ延設されてシートベルトアンカ９０を支持する支持部５４と、該支持部５４の車幅方向両端部から浮き上がり部１６の後面８２に向かって前方へ延設された一対のリブプレート部５６と、該一対のリブプレート部５６の前端からそれぞれ車幅方向外側へ延設されて浮き上がり部１６の後面８２に固定される一対の後面固定部５８とを有する。
【００４０】
取付け部材５０の支持部５４の外側の面には、シートベルトアンカ９０のベース部９２が例えばボルト９６とナット９８により固定されており、これにより、取付け部材５０にシートベルトアンカ９０が取り付けられている。
【００４１】
取付け部材５０の下面固定部５２は、例えば溶接により浮き上がり部１６の略水平な下面８０に固定されている。一方、取付け部材５０の後面固定部５８は、例えば溶接により浮き上がり部１６の略鉛直な後面８２に固定されている。そのため、図示しないシートベルトが引っ張られることで前側斜め上方向の外力が取付け部材５０に生じても、該取付け部材５０を浮き上がり部１６により確実に支持することができる。
【００４２】
また、浮き上がり部１６の下面８０は、車幅方向において取付け部材５０の幅以上の幅を有するため、浮き上がり部１６の下面８０に取付け部材５０を確実に固定することができる。
【００４３】
さらに、浮き上がり部１６は、断面形状の長辺方向が上下方向に沿って配置されているため、浮き上がり部１６の後面の上下方向の寸法が大きく確保される。よって、浮き上がり部１６の後面８２と取付け部材５０の後面固定部５８との接着面積を大きく確保することができ、これにより、浮き上がり部１６に対する取付け部材５０の取付け強度を高めることができる。
【００４４】
図２は、シートクロスメンバ１０及びフロアパネル６０の収納用凹部６２を示す平面図である。
【００４５】
収納用凹部６２は、３列目シート２の後下方に設けられており、該収納用凹部６２に対するスペアタイヤ７０の収納および取り出しを３列目シート２の後方から行えるようになっている。収納用凹部６２は、後端部よりも前端部が深くなるように形成されており、これにより、スペアタイヤ７０は、前端部よりも後端部が高くなるように傾斜した状態で収納用凹部６２に収納されるようになっている。また、平面視において、収納用凹部６２の前縁部は例えば半楕円状に前方へ膨出して形成され、収納用凹部６２の後縁部は例えば半楕円状に後方へ膨出して形成されている。
【００４６】
シートクロスメンバ１０は、収納用凹部６２の前縁部を跨ぐように配設されている。具体的に、シートクロスメンバ１０は、被固定部１２ａ，１２ｂが収納用凹部６２の外側近傍においてフロアパネル６０に固定され、立ち上がり部１４ａ，１４ｂが平面視において収納用凹部６２の前縁部の一部に沿うように配置され、浮き上がり部１６が、収納用凹部６２に収納されたスペアタイヤ７０の前端部の上方に配置されるようになっている。
【００４７】
浮き上がり部１６の後縁は被固定部１２の後縁よりも前側に位置している。また、シートクロスメンバ１０の両側の立ち上がり部１４ａ，１４ｂの後縁と浮き上がり部１６の後縁とは、平面視において、収納用凹部６２の前縁部に対応するように形成されている。すなわち、両側の立ち上がり部１４ａ，１４ｂ及び浮き上がり部１６の後縁全体が、収納用凹部６２の前縁部と同様、前方へ膨出した平面形状となっている。そのため、浮き上がり部１６及び立ち上がり部１４ａ，１４ｂの後方の空間を拡大することができる。したがって、シートクロスメンバ１０の後方に、シートクロスメンバ１０とスペアタイヤ７０との干渉を回避しつつ収納用凹部６２に対するスペアタイヤ７０の収納および取り出しを行うための空間を十分に確保することができる。
【００４８】
上記のシートクロスメンバ１０は、金属管を熱間曲げ加工または冷間曲げ加工することにより製造される。好ましくは、金属管を塑性変形可能で且つ焼入れ可能な温度で加熱しながら曲げ加工を行い、この加熱された部分を加熱直後に急冷することで焼入れを行うことにより、シートクロスメンバ１０が製造される。この製造方法によれば、シートクロスメンバ１０を板厚の薄い金属管で構成しても、このシートクロスメンバ１０について高い強度を得ることが可能になる。すなわち、シートクロスメンバ１０に関して、高い強度を確保しつつ軽量化を図ることができる。また、この製造方法により軽量化が図られた場合であっても、シートクロスメンバ１０は上述の捩れ構造を有するため、上下方向の剛性が高められている。
【００４９】
なお、本願発明者は、図４に示す金属管を用いて、本実施形態に係るシートクロスメンバ１０の上下方向の剛性を確認するためのＣＡＥ解析を行い、図５に示す結果を得た。
【００５０】
このＣＡＥ解析は、比較例１、比較例２及び実施例１の各金属管について行った。比較例１及び比較例２の各金属管は、図４（ａ）に示すように長さ方向の中間部が両端部よりも上側に配置されるように屈曲すると共に断面形状が全長に亘って横長の長方形である金属管であり、実施例１の金属管は、図４（ｂ）に示すように本実施形態のシートクロスメンバ１０と同様の金属管である。また、比較例１では、断面形状の長辺方向の寸法を５０ｍｍ、短辺方向の寸法を３０ｍｍ、板厚を３．２ｍｍとし、比較例２及び実施例１では、断面形状の長辺方向および短辺方向については比較例１と同じ寸法とし、板厚を比較例１の半分の１．６ｍｍとした。
【００５１】
図５の解析結果に示すように、板厚が比較例１の半分である比較例２では、比較例１に比べて上下方向の剛性が約４１％低下した。これに対して、実施例１では、比較例２と同じ板厚であるにも拘わらず、比較例１に比べて上下方向の剛性が約７％上昇した。このことから、シートクロスメンバに上記実施形態に係る捩り構造を採用すれば、板厚を薄くすることで軽量化を図りつつ、上下方向の剛性を高めることが可能であることを確認できた。
【００５２】
以上、上述の実施形態を挙げて本発明を説明したが、本発明は上述の実施形態に限定されるものではない。
【００５３】
例えば、上述の実施形態では、被固定部１２の上部が浮き上がり部１６において前方を向くように立ち上がり部１４が捩られている構成について説明したが、本発明は、被固定部１２の上部が浮き上がり部１６において後方を向くように立ち上がり部１４が捩られた構成も含むものとし、この場合も、シートクロスメンバ１０の共振特性を適宜変更することができ、フロアパネル６０からシート２への振動伝達の抑制に貢献可能である。
【００５４】
また、上述の実施形態では、被固定部１２において上下方向の寸法に比べて前後方向の寸法が大きく、浮き上がり部１６において前後方向の寸法に比べて上下方向の寸法が大きい場合について説明したが、本発明は、被固定部１２において前後方向の寸法に比べて上下方向の寸法が大きく、浮き上がり部１６において上下方向の寸法に比べて前後方向の寸法が大きい構成も含むものとする。この場合は、シートクロスメンバの水平方向の剛性を高めることができ、特に水平方向の振動伝達の抑制を課題とする車両において、フロアパネル６０からシート２に伝わる振動を効果的に抑制することができる。
【００５５】
さらに、上述の実施形態では、フロアパネル６０の収納用凹部６２にスペアタイヤ７０を収納する場合について説明したが、本発明において、収納用凹部６２に収納される部材はスペアタイヤ７０に限定されるものでない。
【産業上の利用可能性】
【００５６】
以上のように、本発明によれば、シートクロスメンバの軽量化を図りつつ、シートクロスメンバを介してフロアパネルからシートに伝わる振動を抑制することが可能となるから、シートクロスメンバを搭載した車両の製造産業分野において好適に利用される可能性がある。
【符号の説明】
【００５７】
２    シート
４    シートクッション
６    シートバック
１０  シートクロスメンバ
１２  シートクロスメンバの被固定部
１４  シートクロスメンバの立ち上がり部
１６  シートクロスメンバの浮き上がり部
５０  シートベルトアンカの取付け部材
６０  フロアパネル
６２  フロアパネルの収納用凹部
７０  スペアタイヤ
９０  シートベルトアンカ
【図１】
0005458978.tif 000002
【図２】
0005458978.tif 000003
【図３】
0005458978.tif 000004
【図４】
0005458978.tif 000005
【図５】
0005458978.tif 000006